(57)【要約】【課題】戸袋を簡単に位置決めできるし、一人の作業者が戸袋をサッシ枠に簡単に連結できる戸袋付きサッシとする。【解決手段】サッシ枠１の上枠１０と戸袋２の天板２０に上連結部材３０の見付け方向一側部、見付け方向他側部がビス３１でそれぞれ固着され、この上連結部材３０に設けた突起３３が上枠１０の嵌合孔３４に嵌合して仮固定した戸袋付きサッシであり、これによって天板２０に上連結部材３０を固着した状態で戸袋２を持ち上げて突起３３を嵌合孔３４に嵌合することで戸袋２をサッシ枠１に位置決めして仮固定できる。【選択図】      図５
2004238797.tif 000002
【特許請求の範囲】
【請求項１】
サッシ枠１と、このサッシ枠１に連結した戸袋２と、前記サッシ枠１に装着した障子３，雨戸４を備えた戸袋付きサッシであって、
前記サッシ枠１の上枠１０と戸袋２の天板２０に跨って上連結部材３０がそれぞれ固着され、この上連結部材３０と上枠１０が嵌合連結手段３２で連結されていることを特徴とする戸袋付きサッシ。
【請求項２】
上連結部材３０と天板２０が嵌合連結手段３２で連結されている請求項１記載の戸袋付きサッシ。
【請求項３】
上連結部材３０の見付け方向一側部と見付け方向他側部に、下面３０ａより突出した突起３３と下面３０ａに開口したビス穴４１を見付け方向に間隔を置いてそれぞれ有し、
上枠１０の長手方向両端部と天板２０の長手方向両端部に、前記突起３３が嵌合する嵌合孔３４とビス挿通孔４６が見付け方向に離隔してそれぞれ形成され、
この嵌合孔３４と突起３３で嵌合連結部３２を形成し、
前記ビス挿通孔４６からビス３１をビス穴４１に螺合して上連結部材３０と上枠１０、天板２０をそれぞれ固着するようにした請求項２記載の戸袋付きサッシ。
【発明の詳細な説明】
【０００１】
【発明の属する技術分野】
本発明は、サッシ枠に戸袋を連結した戸袋付きサッシに関する。
【０００２】
【従来の技術】
サッシ枠に障子と雨戸を装着し、このサッシ枠に戸袋を連結した戸袋付きサッシが知られている。
例えば、特許文献１にサッシ枠の上枠と戸袋の天板を連結部材を用いて連結した戸袋付きサッシが開示されている。
具体的には、連結部材は、その見付け方向両側部に一対の螺孔をそれぞれ有し、この連結部材はサッシ枠の上枠と戸袋の天板とに跨って載置され、前記上枠から一対のビスが一対の螺孔に螺合されて上枠と連結部材の見付け方向一側部が固着されると共に、前記天板から一対のビスが一対の螺孔に螺合されて天板と連結部材の見付け方向他側部が固着される。
【０００３】
【特許文献１】
実開昭６１−１４６３８５号公報
【０００４】
【発明が解決しようとする課題】
戸袋付きサッシは施工現場において、まずサッシ枠を建物躯体に取付け、その後に戸袋をサッシ枠に連結した後に建物躯体に取付けるのが一般的である。
前述した従来の戸袋付きサッシを施工現場で前述のようにして取付けるには、戸袋を作業者が持ち上げて天板と上枠を同一高さに位置決めして保持し、その状態で上枠と天板とに跨って連結部材を載置し、ビスを螺合して上枠、天板と連結部材をそれぞれ固着することで戸袋をサッシ枠に連結する。
【０００５】
このために、次のような課題を有する。
戸袋を位置決めする作業が面倒である。
一人の作業者で戸袋を保持しながらビスを螺合することは困難であり、一人の作業者で戸袋を保持し、他の作業者がビスを螺合することになるから、２人の作業者が必要である。
【０００６】
本発明は、前述の課題に鑑みなされたものであり、その目的は、戸袋を簡単に位置決めできるし、一人の作業者で簡単にサッシ枠と戸袋を連結できるようにした戸袋付きサッシを提供することである。
【０００７】
【課題を解決するための手段】
第１の発明は、サッシ枠１と、このサッシ枠１に連結した戸袋２と、前記サッシ枠１に装着した障子３，雨戸４を備えた戸袋付きサッシであって、
前記サッシ枠１の上枠１０と戸袋２の天板２０に跨って上連結部材３０がそれぞれ固着され、この上連結部材３０と上枠１０が嵌合連結手段３２で連結されていることを特徴とする戸袋付きサッシである。
【０００８】
第２の発明は、第１の発明において上連結部材３０と天板２０が嵌合連結手段３２で連結されている戸袋付きサッシである。
【０００９】
第３の発明は、第２の発明において上連結部材３０の見付け方向一側部と見付け方向他側部に、下面３０ａより突出した突起３３と下面３０ａに開口したビス穴４１を見付け方向に間隔を置いてそれぞれ有し、
上枠１０の長手方向両端部と天板２０の長手方向両端部に、前記突起３３が嵌合する嵌合孔３４とビス挿通孔４６が見付け方向に離隔してそれぞれ形成され、
この嵌合孔３４と突起３３で嵌合連結部３２を形成し、
前記ビス挿通孔４６からビス３１をビス穴４１に螺合して上連結部材３０と上枠１０、天板２０をそれぞれ固着するようにした戸袋付きサッシである。
【００１０】
【作  用】
第１の発明によれば、戸袋２の天板２０に上連結部材３０を固着した状態で、その戸袋２を作業者が持ち上げて上連結部材３０を上枠１０に嵌合連結手段３２で連結することで戸袋２を位置決めしてサッシ枠１に仮固定し、この後に上枠１０と上連結部材３０を固着することで上枠１０と天板２０を連結できる。
すなわち、嵌合連結手段３２は上連結部材３０を上枠１０の上面に載置することで、相互に嵌合して上連結部材３０を上枠１０に仮固定するものであるから、戸袋２とともに上連結部材３０を持ち上げて上枠１０の上面に載置することで仮固定できる。
【００１１】
第２の発明によれば、上連結部材３０と上枠１０、天板２０がそれぞれ嵌合連結手段３２で連結されているので、上連結部材３０と上枠１０、天板２０はそれぞれ１ヶ所で固着することで強固に連結できる。
つまり、嵌合連結手段３２と固着部によって上連結部材３０を上枠１０、天板２０に見込み方向に動くことなくしっかりと連結できる。
【００１２】
また、上連結部材３０を天板２０の左右両端部のどちらか一方に選択的に固着できるから、その上連結部材３０を上枠１０の左右両端部のどちらか一方に選択的に嵌合連結して仮固定することが可能である。
例えば、一方の嵌合連結手段３２で天板２０の戸先妻板側に取付けた上連結部材３０を他方の嵌合連結手段３２で上枠１０の左右両端部のどちらか一方に仮固定でき、他方の嵌合連結手段３２で天板２０の戸尻妻板側に取付けた上連結部材３０を一方の嵌合連結手段３２で上枠１０の左右両端部のどちらか他方に仮固定できる。
【００１３】
第３の発明によれば、上連結部材３０の突起３３を上枠１０、天板２０の嵌合孔３４に嵌合することで嵌合連結して仮固定できる。
上枠１０、天板２０のビス挿通孔４６からビス３１を上連結部材３０の下面３０ａに開口したビス穴４１に螺合して固着するので、上枠１０、天板２０の下から上に向けてビス締めできる。
【００１４】
【発明の実施の形態】
図１、図２、図３に基づいて戸袋付サッシの一例を説明するが、これに限ることはない。
サッシ枠１と、戸袋２と、サッシ枠１に装着した障子３、雨戸４で戸袋付きサッシを構成している。
前記サッシ枠１は上枠１０と下枠１１と左右の縦枠１２を方形枠組みしたものである。
前記上枠１０は上障子装着部、例えば内上レール１０ａ、外上レール１０ｂと、上雨戸装着部、例えば上雨戸ガイド凹部１０ｃを有する。
前記下枠１１は下障子装着部、例えば内下レール１１ａ、外下レール１１ｂと、下雨戸装着部、例えば下雨戸ガイド部１１ｃを有する。
上雨戸ガイド凹部１０ｃ、下雨戸ガイド部１１ｃは一対の縦枠１２よりも室外側に突出している。
前記一方の縦枠１２側に戸袋２が取付けてある。
前記他方の縦枠１２の室外側部には雨戸受縦材１３が取付けてあり、この雨戸受縦材１３は上雨戸ガイド凹部１０ｃと下雨戸ガイド部１１ｃに連続してそれらの長手方向端部を閉塞している。
【００１５】
前記戸袋２は、天板２０と戸尻妻板２１と戸先妻板２２と地板２３と鏡板２４を備え、戸先妻板２２と一方の縦枠１２との間に雨戸出入口２５を形成している。
前記戸尻妻板２１の上下寄りに戸滑りブロック２６がそれぞれ前記雨戸出入口２５と対向して取付けてあり、戸袋２内に入り込んだ雨戸４は戸滑りブロック２６に当接して雨戸４の移動力を緩衝して低減すると共に、雨戸４が鏡板２４側に移動するようにしてある。戸先妻板２２には雨戸４が鏡板２４側に移動し易くするガイドローラ２７が取付けてある。
【００１６】
前記天板２０は上の戸滑りブロック２６の見込み方向端面２６ａに当接する当接部、例えば垂下片２０ａを有する。
前記地板２３は下の戸滑りブロック２６の見込み方向端面２６ａに当接する当接部、例えば突片２３ａを有する。
このようであるから、戸尻妻板２１に上下の戸滑りブロック２６を見込み方向に位置決めして取付けることで、その各戸滑りブロック２６の見込み方向端面２６ａに天板２０の垂下片２０ａ、地板２３の突片２３ａをそれぞれ当接することによって、戸尻妻板２１と天板２０と地板２３を見込み方向に位置決めできる。
【００１７】
前記上枠１０、下枠１１、縦枠１２は躯体取付片１４をそれぞれ備え、この各躯体取付片１４が固着具１５で建物躯体１６にそれぞれ取付けられる。
前記天板２０、戸尻妻板２１、地板２３は躯体取付片２８をそれぞれ備え、この各躯体取付片２８が前記建物躯体１６に固着具２９でそれぞれ取付けられる。
【００１８】
次に、サッシ枠１と戸袋２の連結について説明する。
図４に示すように、サッシ枠１の上枠１０と戸袋２の天板２０は上連結部材３０を用いて連結してある。
この上連結部材３０は上枠１０，天板２０に固着、例えばビス３１でそれぞれ固着してあると共に、上連結部材３０と上枠１０は嵌合連結手段３２で仮固定してある。
前記嵌合連結手段３２は上連結部材３０を上枠１０の上面に載置することで相互に嵌合して上連結部材３０を上枠１０に仮固定するもので、例えば図５に示すように上連結部材３０に設けた下向きの突起３３と、上枠１０に形成した嵌合孔３４を備え、この嵌合孔３４に突起３３を嵌合することで上連結部材３０を上枠１０に仮固定する。
なお、突起３３と嵌合孔３４が隙間なく嵌合することが好ましいが、若干の隙間を有して嵌合するようにしても良い。
前記突起３３は上連結部材３０と一体でも良いし、別体でも良い。また、突起３３と嵌合孔３４は断面円形が好ましいが、矩形、多角形断面などでも良い。
【００１９】
次に、戸袋２をサッシ枠１に連結する作業の一例を説明する。
天板２０に上連結部材３０を、その突起３３が天板２０よりも見付け方向に突出するようにビス３１で固着し、戸袋２を作業者が持ち上げて突起３３を上枠１０の上面よりも上方に位置させ、戸袋２を下げて突起３３を上枠１０の嵌合孔３４に嵌合することで、戸袋２がサッシ枠１に上枠１０の上面と天板２０の上面がほぼ同一高さ、好ましくは同一高さに位置決めして仮固定される。この時、戸袋２の地板２３が下枠１１に当接するので、所定の取付け姿勢に保持される。
この状態で作業者がビス３１を上枠１０から上連結部材３０に螺合することで上枠１０と天板２０を連結する。
このようであるから、戸袋２をサッシ枠１に簡単に位置決めできるし、一人の作業者で戸袋２をサッシ枠１に簡単に連結できる。
【００２０】
この実施の形態では、天板２０と上連結部材３０が前述と同一の嵌合連結手段３２（上連結部材３０に設けた下向きの突起３３と天板２０に形成した嵌合孔３４）で連結されている。
よって、上連結部材３０と天板２０、上連結部材３０と上枠１０はそれぞれ１つのビス３１で固着すれば良いから、ビス締め作業が簡単である。つまり、嵌合連結手段３２とビス３１の２ヶ所で連結されるので、上連結部材３０が上枠１０、天板２０に対して見込み方向に揺れ動くことがなく、しっかりと連結できる。
これに対して前述した従来の戸袋付きサッシにおいては、連結部材と上枠、天板をそれぞれ２本のビスで固定しているので、ビス締め作業が面倒である。
【００２１】
また、上連結部材３０を上枠１０、天板２０にそれぞれ嵌合連結手段３２で連結することで、その上連結部材３０を天板２０の左右両端部（戸先妻板２２側の端部、戸尻妻板２１側の端部）のどちらか一方に選択的に取付け、その上連結部材３０を上枠２０の左右両端部のどちらか一方に選択的に取付けできる。
よって、戸袋２をサッシ枠１の左右両側部のどちらか一方に選択的に取付けできる。
例えば、図４に示すように天板２０の戸先妻板２２側の端部に取付けてある上連結部材３０を、その上枠１０に連結してある突起３３を利用して天板２０の戸尻妻板２１側の端部に嵌合連結して取付けることで、その上連結部材３０を天板２０に連結してある突起３３を利用して上枠１０の左右反対側に嵌合連結して仮固定できる。
なお、戸袋２をサッシ枠１の図４と左右反対側に取付ける場合には戸尻妻板２１と戸先妻板２２を天板２０、地板２３の左右反対側に取付ける。
【００２２】
次に、サッシ枠１と戸袋２の連結部材の具体形状の一例を説明する。
図６に示すように、前記上連結材３０の見付け方向一側部と見付け方向他側部にピン４０とビス穴４１が見付け方向に間隔を置いてそれぞれ有する。
このピン４０、ビス穴４１は見付け方向中央部を境として対称位置で同一ピッチ（見付け方向の間隔）であることが好ましい。
前記ピン４０は下面３０ａよりも下方に突出して前述の突起３３を形成する。
前記ビス穴４１は下面３０ａと上面３０ｂに貫通しているが、上面３０ｂには開口しないようにしても良い。
この実施の形態では、上連結部材３０の見込み方向一端寄り部分を他の部分よりも厚肉とし、その厚肉部分にピン４０を嵌合して取付けると共に、ビス穴４１を形成し、ピン４０の嵌合長さを長くできると共に、ビス穴４１を深くできるようにしてある。
【００２３】
前記上連結部材３０の見付け方向中間部、好ましくは見付け方向中央部に垂下片４２が設けてあり、この垂下片４２は下面３０ａよりも突出し、上枠１０の端面、天板２０の端面に接して上連結部材３０を見付け方向に位置決めする。
前記上連結部材３０は縦向きの躯体取付片４３を備え、この躯体取付片４３に孔４４が形成してある。この躯体取付片４３の裏面と下面３０ａの見込み方向他端寄り部分に亘ってシール材４５が設けてある。
【００２４】
図４と図６に示すように、前記上枠１０の長手方向両端部寄りと天板２０の長手方向両端部寄りにビス挿通孔４６と前記嵌合孔３４がそれぞれ形成してある。
前記ピン４０とビス穴４１のピッチ（見付け方向の間隔）と前記嵌合孔３４とビス挿通孔４６のピッチ（見付け方向の間隔）は同一で、垂下片４２を上枠１０、天板２０の端面に接するとピン４０、ビス穴４１が嵌合孔３４、ビス挿通孔４６に合致するようにしてある。
【００２５】
上連結部材３０と天板２０は、一方のピン４０を天板２０の嵌合孔３４に嵌合すると共に、天板２０のビス挿通孔４６からビス３１を一方のビス穴４１に螺合することで固着される。
前記上連結部材３０と上枠１０は、他方のピン４０を上枠１０の嵌合孔３４に嵌合すると共に、上枠１０のビス挿通孔４６からビス３１を他方のビス穴４１に螺合することで固着される。
また、上枠１０、天板２０の長手方向両端部にあらかじめ工場等で嵌合孔３４とビス挿通孔４６がそれぞれ形成してあるので、施工現場において戸袋２をサッシ枠１の左右どちらか一方に選択的に取付ける作業が容易である。
なお、施工現場で嵌合孔３４、ビス挿通孔４６を形成しても良い。
【００２６】
前記サッシ枠１の下枠１１と戸袋２の地板２３は図１、図２に示すように下連結部材５０を用いて連結してある。
この下連結部材５０の見付け方向一端寄り部分は下枠１１の下面１１ｄに一対のビス５１で固着してあると共に、見付け方向他端寄り部分は地板２３の下面２３ｂに一対のビス５２で固着してある。
これらのビス５１，５２は下枠１１、地板２３の孔から下連結部材５０のビス穴に螺合される。
【００２７】
前述の下連結部材５０は、その見付け方向他端部が戸袋２の地板２３に固着されて見付け方向一端部が地板２３よりも見付け方向に突出する。
そして、戸袋２を前述のようにして仮取付けする際には、下連結部材５０の見付け方向一端部を下枠１１の下面１１ｄに接する。
【００２８】
前記上連結部材３０の躯体取付片４３は図４と図７に示すように、上枠１０の躯体取付片１４と天板２０の躯体取付片２８に跨って接し、固着具４７で建物躯体に固着される。
なお、図７においては戸袋２の鏡板２４が図示を省略してある。
【００２９】
前記ビス３１は上連結部材３０から上枠１０、天板２０に嵌合しても良い。この場合には上枠１０、天板２０に裏板を設けることが好ましい。
また、嵌合連結手段３２は上枠１０、天板２０に突起３３（ピン４０）を設け、上連結部材３０に嵌合孔３４を形成したものでも良いし、突起３３を鉤形状として嵌合孔３４に嵌合して引掛けるようにしても良い。
また、下連結部材５０は設けなくとも良い。
また、上連結部材３０と上枠１０、天板２０を複数のビス３１で固着しても良いし、戸袋２をサッシ枠１の左右どちらか一方に選択的に取付けしないで一方にのみ取付ける場合には上連結部材３０を天板２０に複数のビス３１のみで固着しても良い。
【００３０】
【発明の効果】
請求項１に係る発明によれば、戸袋２の天板２０に上連結部材３０を固着した状態で、その戸袋２を作業者が持ち上げて上連結部材３０を上枠１０に嵌合連結手段３２で連結することで戸袋２を位置決めしてサッシ枠１に仮固定し、この後に上枠１０と上連結部材３０を固着することで上枠１０と天板２０を連結できる。
よって、戸袋２を簡単に位置決めできるし、１人の作業者でサッシ枠１と戸袋２を簡単に連結できる。
【００３１】
請求項２に係る発明によれば、上連結部材３０と上枠１０、天板２０がそれぞれ嵌合連結手段３２で連結されているので、上連結部材３０と上枠１０、天板２０はそれぞれ１ヶ所で固着することで強固に連結できる。
よって、上連結部材３０と上枠１０、天板２０の固着作業が簡単である。例えば、ビスで固着する場合には２本のビスを螺合すれば良く、その作業が簡単である。
【００３２】
また、上連結部材３０を天板２０の左右両端部のどちらか一方に選択的に固着できるから、その上連結部材３０を上枠１０の左右両端部のどちらか一方に選択的に嵌合連結して仮固定することが可能である。
よって、戸袋２をサッシ枠１の左右どちらか一方に選択的に取付けることが可能である。
【００３３】
請求項３に係る発明によれば、上連結部材３０の突起３３を上枠１０、天板２０の嵌合孔３４に嵌合することで嵌合連結して仮固定できる。
上枠１０、天板２０のビス挿通孔４６からビス３１を上連結部材３０の下面３０ａに開口したビス穴５１に螺合して固着するので、上枠１０、天板２０の下から上に向けてビス締めできる。
【図面の簡単な説明】
【図１】戸袋付きサッシの横断面図である。
【図２】図１のＡ−Ａ断面図である。
【図３】図１のＢ−Ｂ断面図である。
【図４】戸袋付きサッシの平面図である。
【図５】図４のＣ−Ｃ拡大断面図である。
【図６】上枠、天板と上連結部材の分解斜視図である。
【図７】サッシ枠に戸袋を連結した状態の斜視図である。
【符号の説明】
１…サッシ枠、２…戸袋、３…障子、４…雨戸、１０…上枠、２０…天板、３０…上連結部材、３１…ビス、３２…嵌合連結部、３３…突起（４０…ピン）、３４…嵌合孔、４１…ビス穴。
【図１】
2004238797.tif 000003
【図２】
2004238797.tif 000004
【図３】
2004238797.tif 000005
【図４】
2004238797.tif 000006
【図５】
2004238797.tif 000007
【図６】
2004238797.tif 000008
【図７】
2004238797.tif 000009